(57)【要約】【課題】雨霧の日でも使用可能である新規ヘルメットを提供すること。【解決手段】帽体にシールドを取り付けた、着脱可能ワイパー装置付ヘルメットであって、該帽体の前方チンガード部分にワイパー装置取付キャッチを設置してあり、該ワイパー装置取付キャッチに着脱可能ワイパー装置が取り付けてあり、該ワイパー装置はシェル、動力機構、ワイパーヘッド、ワイパー棒を備え、該動力機構は該ワイパー装置のシェルの内側に固定設置されており、該ワイパー棒の運動は固定軸の運動と合うようになっており、該ワイパー棒の一端は該動力機構の伝導部分と接続し、他端にはワイパーヘッドが固定設置されており、該ワイパーヘッドの上にある水滴をこする装置が該シールドに密着し、該ワイパー装置に電力供給バッテリーを設置してあり、電源を出力側と動力機構の電源と接続している、着脱可能ワイパー装置付ヘルメット。【選択図】図１
2008190105.tif 000002
【特許請求の範囲】
【請求項１】
帽体にシールドを取り付けた、着脱可能ワイパー装置付ヘルメットであって、該帽体の前方チンガード部分にワイパー装置取付キャッチを設置してあり、該ワイパー装置取付キャッチに着脱可能ワイパー装置が取り付けてあり、該ワイパー装置はシェル、動力機構、ワイパーヘッド、ワイパー棒を備え、該動力機構は該ワイパー装置のシェルの内側に固定設置されており、該ワイパー棒の運動は固定軸の運動と合うようになっており、該ワイパー棒の一端は該動力機構の伝導部分と接続し、他端にはワイパーヘッドが固定設置されており、該ワイパーヘッドの上にある水滴をこする装置が該シールドに密着し、該ワイパー装置に電力供給バッテリーを設置してあり、電源を出力側と動力機構の電源と接続している、着脱可能ワイパー装置付ヘルメット。
【請求項２】
前記シールドのフロントエンドが逆三角形の平板構造である、請求項１に記載の着脱可能ワイパー装置付ヘルメット。
【請求項３】
前記ワイパー装置に接続棒と伝導棒を設置してあり、前記ワイパー棒が、該接続棒の一端と運動が合うように接続され、該接続棒の他端は該伝導棒の一端と接続し、該伝導棒の他端は前記動力機構の伝導部分と接続している、請求項１に記載の着脱可能ワイパー装置付ヘルメット。
【請求項４】
前記電力供給バッテリーは差し込み式電池、またはコンセント電池、またはコンセント電池と差し込み式接続電池を併用できるタイプである、請求項１〜３のいずれか１項に記載の着脱可能ワイパー装置付ヘルメット。
【請求項５】
全部の電源が動力機構との間にスイッチを備える、請求項１〜３のいずれか１項に記載の着脱可能ワイパー装置付ヘルメット。
【請求項６】
前記ワイパー接続器と前記帽体との接続は、ストッパー接続か、またはねじを通しての接続か、または差し込み式接続である、請求項１〜３のいずれか１項に記載の着脱可能ワイパー装置付ヘルメット。
【発明の詳細な説明】
【技術分野】
【０００１】
本発明はヘルメットに関し、着脱可能ワイパー装置付のヘルメットに関します。
【背景技術】
【０００２】
現在、バイクは交通手段として広く使用されています。バイクを運転するときはヘルメットを着用する義務があることは常識としてよく知られています。また、交通部門の規定であり、ヘルメットを着用することで運転手自身もより安全になります。また、近年電動自転車の発売により、従来の自転車に取って代わる傾向があり、電動自転車を運転するときもヘルメットの着用が必要です。ただし、現在の市場のヘルメットは帽体の上に回せる防風シールドを取り付けてあるのみであることが多く、雨の日に帽体のシールドは顔が濡れないように雨を防止するだけで、ヘルメットから雨を除去することができません。雨が降ったらヘルメットのシールドに水滴がたまり、水滴が運転手の視界に影響を与え、危険な状態につながる可能性があります。
【発明の開示】
【発明が解決しようとする課題】
【０００３】
上記に記載されるように現在の技術で生産しているヘルメットは雨の日に不便であるという点に基づいて、本発明は、ヘルメットに着脱可能ワイパー装置をつけることによって雨霧の日でも使用可能である新規ヘルメットを提供します。
【課題を解決するための手段】
【０００４】
上記課題を解決するために、本発明は、例えば、以下を提供する：
（項目１）帽体にシールドを取り付けた、着脱可能ワイパー装置付ヘルメットであって、該帽体の前方チンガード部分にワイパー装置取付キャッチを設置してあり、該ワイパー装置取付キャッチに着脱可能ワイパー装置が取り付けてあり、該ワイパー装置はシェル、動力機構、ワイパーヘッド、ワイパー棒を備え、該動力機構は該ワイパー装置のシェルの内側に固定設置されており、該ワイパー棒の運動は固定軸の運動と合うようになっており、該ワイパー棒の一端は該動力機構の伝導部分と接続し、他端にはワイパーヘッドが固定設置されており、該ワイパーヘッドの上にある水滴をこする装置が該シールドに密着し、該ワイパー装置に電力供給バッテリーを設置してあり、電源を出力側と動力機構の電源と接続している、着脱可能ワイパー装置付ヘルメット。
【０００５】
（項目２）上記シールドのフロントエンドが逆三角形の平板構造である、項目１に記載の着脱可能ワイパー装置付ヘルメット。
【０００６】
（項目３）上記ワイパー装置に接続棒と伝導棒を設置してあり、上記ワイパー棒が、該接続棒の一端と運動が合うように接続され、該接続棒の他端は該伝導棒の一端と接続し、該伝導棒の他端は上記動力機構の伝導部分と接続している、項目１に記載の着脱可能ワイパー装置付ヘルメット。
【０００７】
（項目４）上記電力供給バッテリーは差し込み式電池、またはコンセント電池、またはコンセント電池と差し込み式接続電池を併用できるタイプである、項目１〜３のいずれか１項に記載の着脱可能ワイパー装置付ヘルメット。
【０００８】
（項目５）全部の電源が動力機構との間にスイッチを備える、項目１〜３のいずれか１項に記載の着脱可能ワイパー装置付ヘルメット。
【０００９】
（項目６）上記ワイパー接続器と上記帽体との接続は、ストッパー接続か、またはねじを通しての接続か、または差し込み式接続である、項目１〜３のいずれか１項に記載の着脱可能ワイパー装置付ヘルメット。
【００１０】
本発明は着脱可能ワイパー装置付ヘルメットです。帽体の上にシールドがあり、帽体の前方のチンガード部分にワイパー装置取付キャッチがあり、このワイパー装置取付キャッチにワイパー装置の着脱可能装置も付いています。ワイパー装置にはシェル、動力機構、ワイパーヘッドとワイパー棒が含まれます。動力機構はワイパー装置のシェルの内側に固定してあり、ワイパー棒は固定軸と同時に動きます。ワイパー棒の一端は動力機構の伝導部分と接続されています。他端はワイパーヘッドであり、ワイパーヘッドの上のこする機構が帽体のシールドに密着します。ワイパー装置はバッテリーを備えており、このバッテリーは動力機構と接続してあります。雨霧の日でも運転手が使用できます。運転手に便利であり、雨霧の日の運転の安全性を高めます。
【００１１】
（発明の要旨）
本発明が技術問題を解決するために採用した手段：着脱可能ワイパー装置付ヘルメットであり、帽体にシールドが付いており、帽体のチンガード部分にワイパー装置取付キャッチがあり、このワイパー装置取付キャッチにワイパー装置の着脱可能装置も付いています。ワイパー装置はシェル、動力機構、ワイパーヘッドとワイパー棒を含んでいます。動力機構はワイパー装置のシェルの内側に固定してあり、ワイパー棒は固定軸と同時に動きます。ワイパー棒の一端は動力機構の伝導部分と接続しています。他端はワイパーヘッドであり、ワイパーヘッドの上の水滴をこする機構が帽体のシールドに密着します。ワイパー装置はバッテリーを備えており、このバッテリーは動力機構の電源と接続しています。
【００１２】
本発明が技術問題を解決するために採用したもう1つの手段は、上記シールドのフロントエンドが逆三角形の平板構造であることです。
【００１３】
上記ワイパー装置に接続棒と伝導棒を設置してあります。ワイパー棒は回転可能接続棒の一端とつながり、接続棒の他端は伝導棒の一端とつながり、伝導棒の他端は伝導部分につながります。
【００１４】
上記電力供給バッテリーは差し込み式電池、またはコンセント電池、またはコンセント電池と差し込み式接続電池を併用できるタイプです。
【００１５】
上記電源は動力機構との接続部にスイッチを設置してあります。
【００１６】
上記ワイパーの接続器と帽体の間はストッパー接続、またはねじで接続、またはコンセント式接続です。
【発明の効果】
【００１７】
本発明のよい効果は：ヘルメットに着脱可能ワイパーを備えており、運転手が雨霧の日も使用でき、運転手に便利であり、雨霧の日に運転の安全性を高めることです。
【発明を実施するための最良の形態】
【００１８】
（具体的な実施方法）
本実施例は本発明の一般的実施例であり、基本構造または原理が本発明と同様な場合は、本発明の保護範囲になります。
【００１９】
図を参考とし、運転のとき、頭を保護するための帽体１は現在の技術で生産している一般ヘルメットの保護部分を採用し、ヘルメットに設置する回転可能なシールド２は回転軸の周りで回転し、風がないとき、シールド２は上の方に回転可能であり、通風効果があります。また、風が吹いているときまたは雨が降っているとき、シールド２を下に回転させると、運転手に向かう風と雨の影響を防げます。
【００２０】
図４、図５、図６はシールド２を示す図です。シールド２のフロントエンドは逆三角形の平板状であり、その逆三角形の範囲はワイパーを使用するときこすることが可能な範囲です。設計を平板状にするのは、ワイパーがシールド２をこするときによりよい効果を得るためです。また、シールド２のフロントエンドの逆三角形の範囲は少し湾曲していてもよく、この場合、ワイパーヘッド５およびその上の水滴をこする装置の設計もシールド２の逆三角形の湾曲している形と一致する曲線です。このことによって、ワイパーはシールド２をこするときによりよい効果を得られます。
【００２１】
図８と図９は、図９は帽体の前方チンガード部分の側面を示す図です。図８は帽体の前方チンガード部分の、ワイパー装置設置位置の構造を示す図です。ヘルメットの帽体１のチンガード位置（つまりヘルメットを着用するとき頭の下部である顎位置にくる部分）にワイパー装置取付キャッチ９が図示されており、そのワイパー装置取付キャッチ９はストッパー、ねじの穴または差込口です。ワイパー装置取付キャッチ９は希望に応じて帽体１のほかの位置に簡単に設置できます。ワイパー接続器３と帽体１の間にストッパーまたはねじ、または差し込み式接続が可能で、接続の仕方は使用者の都合、生産コストおよび技術などに応じて自由に選択され、本実施例では差し込み式接続構造を選択しました。
【００２２】
図７は、図にワイパー装置の接続関係を示しています。ワイパー装置はシェル３、動力機構１０、ワイパーヘッド５、ワイパー棒４を含みます。本実施例では、ワイパー装置と帽体１の間を差し込み式接続構造で接続しています。図に記号８と表示しているのはワイパー装置差し込みヘッド８の図です。このワイパー装置差し込みヘッド８は、図８に示しているワイパー装置取付キャッチ９と合わせられます。図３は、ワイパー装置の内部構造を詳しく表示しています。ワイパーシェル３の中には動力機構１０が固定設置されています。動力機構１０が電動機の偏心輪を回転させると、外部出力機構も回転し、往復運動を行います。または、電動機に通して出力機構を回転させ、往復運動を行います。本発明は動力機構１０の電動機の回転を通して、外部回転軸１５を回転させます。回転軸１５には伝導棒１１が固定設置されています。伝導棒１１は回転軸１５と運動が合うように固定されています。伝導棒１１の他端は接続棒１２の一端と接続しています。伝導棒１１は接続棒１２との間で運動を接続しています。接続棒１２の他端はワイパー棒４の一端と動きを接続しています。ワイパー棒４は固定軸１３に通してワイパー装置のシェル３に設置され、ワイパー棒は固定軸１３の周りで回転できます。ワイパー装置のシェル３に電池６の接続口と電源コンセント７を設置しています。電池６の接続口は電源コンセント７と導線で接続しています。ここで、電池６の接続口と電源コンセント７の負極は動力機構１０の負極と接続しています。電池６の接続口と電源コンセント７の正極は動力機構１０の正極とスイッチ１４と接続しています。スイッチ１４は負極と接続することも可能です。使用の際、使用者の都合に応じて、電池６から動力機構１０に電力を供給するか、または外部の電源から動力機構１０に電力を供給するか自由に選択できます。ワイパー棒４は２段設計にできます。ワイパー装置を携帯しやすくするように、２段の間は取り外し可能となっています。
【００２３】
ヘルメットを着用するとき、ワイパー装置差し込みヘッド８をワイパー装置取付キャッチ９に差し込むと、差し込みヘッド８とワイパー装置取付キャッチ９の間がストッパーでしっかりつながるため、ワイパーをワイパー装置に設置することによって、ワイパーヘッド５をシールド２の逆三角形の範囲につけられます。
【００２４】
ワイパーヘッド５の水滴をこする装置がシールド２に密着します。電池６または外部電源をワイパー装置シェル３に設置しています。スイッチ１４を入れると、動力機構１０の電動機が回転し、回転軸１５も同時に回転します。伝導棒１１が回転軸１５の回転にしたがって回転すると、接続棒１２も回転します。接続棒１２の回転によってワイパー棒４は左右に動くことができ、ワイパー棒４の上にあるワイパーヘッド５も左右に動きます。ワイパーヘッド５の上にある水滴をこする装置が動くと、シールド２にたまっている水滴または霧が除かれ、運転手の視野をはっきりさせます。晴れの日に使用するとき、運転手はワイパー装置をヘルメットから取り外すことが可能であり、ヘルメットの重さによる運転手への圧力を減少できます。
【産業上の利用可能性】
【００２５】
本発明はバイクのヘルメット、電動自転車のヘルメットおよびカーレースのヘルメットなどヘルメットが必要なところに広く使用できます。
【図面の簡単な説明】
【００２６】
【図１】本発明の全体構造を示す図。
【図２】本発明の構造を側面から示す図。
【図３】ワイパー接続器の設置機構を示す図。
【図４】シールドの上から示す図。
【図５】シールドの正面を示す図。
【図６】シールドの側面を示す図。
【図７】ワイパー設置構造を側面から示す図。
【図８】帽体前方チンガード部分ワイパー装置設置位置の構造を示す図。
【図９】帽体前方チンガード部分側面から示す図。
【符号の説明】
【００２７】
1    帽体
2    シールド
3    シェル
4    ワイパー棒
5    ワイパーヘッド
6    電池
7    電源コンセント
8    差し込みヘッド
9    ワイパー装置取付キャッチ
10    動力機構
11    伝導棒
12    接続棒
13    固定軸
14    スイッチ
15    回転軸
【図１】
2008190105.tif 000003
【図２】
2008190105.tif 000004
【図３】
2008190105.tif 000005
【図４】
2008190105.tif 000006
【図５】
2008190105.tif 000007
【図６】
2008190105.tif 000008
【図７】
2008190105.tif 000009
【図８】
2008190105.tif 000010
【図９】
2008190105.tif 000011